(57)【要約】【課題】液体噴射ヘッドへ供給する液体の種類を変更するための切換装置を小型化することが可能な液体噴射装置を提供する。【解決手段】インクジェット式プリンタの切換装置２５は、フォトブラックインクを供給する第１連結路と、マットブラックインクを供給する第２連結路と、第１連結路及び第２連結路の下流端同士の合流点と記録ヘッド側とを連通する第１貫通孔と、第１連結路を開閉する第１開閉弁４７と、第２連結路を開閉する第２開閉弁４８と、フォトブラックインクとマットブラックインクとの間でインクを切り換える際に回動する回転式の板カム７１と、該板カム７１の回転駆動に伴って駆動されることにより、第１開閉弁４７及び第２開閉弁４８のうちの一方が開弁されるとともに他方が閉弁されるように、第１開閉弁４７及び第２開閉弁４８を開閉動作させる第１作動板７３及び第２作動板７２とを備える。【選択図】図９
2008132712.tif 000002
【特許請求の範囲】
【請求項１】
液体を噴射する液体噴射ヘッドと、該液体噴射ヘッドへ供給される液体の種類を第１液体と該第１液体とは異なる第２液体との間で選択的に切り換える切換装置とを備えた液体噴射装置であって、
前記切換装置は、
前記第１液体を供給する第１供給路と、
前記第２液体を供給する第２供給路と、
前記第１供給路及び前記第２供給路の下流端同士の合流点と前記液体噴射ヘッドとの間を連通するヘッド側供給路と、
前記第１供給路における前記第２供給路との合流点よりも上流側において前記第１供給路を開閉する第１開閉弁と、
前記第２供給路における前記第１供給路との合流点よりも上流側において前記第２供給路を開閉する第２開閉弁と、
回転式のカムと、
該カムの回転駆動に伴って駆動されることにより、前記第１開閉弁及び前記第２開閉弁のうちの一方が開弁されるとともに他方が閉弁されるように、これら第１開閉弁及び第２開閉弁を開閉動作させるアクチュエータと
を備えたことを特徴とする液体噴射装置。
【請求項２】
前記アクチュエータは、前記第１開閉弁を閉弁動作させる第１アクチュエータと前記第２開閉弁を閉弁動作させる第２アクチュエータとを備え、
前記第１アクチュエータ及び前記第２アクチュエータは、１つの前記カムの回転駆動により、双方のアクチュエータが駆動されるように構成されていることを特徴とする請求項１に記載の液体噴射装置。
【請求項３】
前記合流点を介して連通する前記第１供給路及び前記第２供給路における前記第１開閉弁と前記第２開閉弁との間には、前記第１アクチュエータによって前記第１開閉弁を閉弁する際の閉弁力を、前記第２開閉弁を開弁させる開弁力として該第２開閉弁に伝達するとともに、前記第２アクチュエータによって前記第２開閉弁を閉弁する際の閉弁力を、前記第１開閉弁を開弁させる開弁力として該第１開閉弁に伝達する伝達部材が配置されていることを特徴とする請求項２に記載の液体噴射装置。
【請求項４】
前記第１アクチュエータ及び前記第２アクチュエータは、該両アクチュエータが互いに交差した状態で１つの軸により揺動可能に軸支されていることを特徴とする請求項２または請求項３に記載の液体噴射装置。
【請求項５】
前記カムには、そのカムの回転駆動に伴い前記第１アクチュエータ及び前記第２アクチュエータが順次に係合する第１カム面と第２カム面とが形成されており、前記両アクチュエータは、前記第１カム面に係合することによってそのアクチュエータが対応する開閉弁の開弁動作を許容する方向に変位する一方、前記第２カム面に係合することによってそのアクチュエータが対応する開閉弁を閉弁動作させる方向に変位する構成とされていることを特徴とする請求項２〜請求項４のうちいずれか一項に記載の液体噴射装置。
【請求項６】
前記切換装置は、前記第１アクチュエータが前記第１開閉弁を閉弁させているときの閉弁力の低下と、前記第２アクチュエータが前記第２開閉弁を閉弁させているときの閉弁力の低下とを抑制する閉弁力低下抑制手段を備えていることを特徴とする請求項２〜請求項５のうちいずれか一項に記載の液体噴射装置。
【発明の詳細な説明】
【技術分野】
【０００１】
本発明は、例えばインクジェット式プリンタなどの液体噴射装置に関する。
【背景技術】
【０００２】
一般に、液体をターゲットに対して噴射させる液体噴射装置として、インクジェット式プリンタ（以下、「プリンタ」という。）が広く知られている。このプリンタは、インク（液体）を噴射する記録ヘッド（液体噴射ヘッド）にインクを収容するインクカートリッジからインクを供給し、そのインクを記録ヘッドのノズル形成面に形成されたノズルからターゲットとしての記録用紙に噴射することにより印刷を行うようになっている。そして、こうしたプリンタでは、記録ヘッドから離れた位置にインクカートリッジが配置されている場合、そのインクカートリッジからプリンタ内部に引き回されたチューブを介してインクが記録ヘッド側に供給されるようになっている。
【０００３】
ところで、記録ヘッドのノズルから噴射しているインクを別の種類のインクに変更する場合には、まず、それまで使用していたインクカートリッジからのインクの供給が止められ、その状態からチューブ内の残存インクが記録ヘッドのノズルを介して排出される。そして、残存インクの排出によりチューブ内をきれいにした後に、別の種類のインクが収容されたインクカートリッジからこの別の種類のインクがチューブを介して記録ヘッド側に供給されるようになっている。
【０００４】
そのため、このように記録ヘッドのノズルから噴射するインクの種類を変更する場合には、チューブ内に残った変更前のインクを吸引して排出しなければならないので、インクの無駄が多くなってしまうという問題があった。そこで、こうした問題に対処するため、従来から、記録ヘッドの近傍に各インクカートリッジとインクカートリッジ毎に対応したチューブを介して接続されるインクの切換装置を設けたプリンタが提案されている（例えば、特許文献１）。
【０００５】
この特許文献１のプリンタでは、切換装置内において、記録ヘッドに供給するインクの種類が、第１種類のインク（第１液体）と第２種類のインク（第２液体）との間で切り換え可能になっている。すなわち、切換装置内では、第１種類のインクを供給する第１通路部（第１供給路）の下流端と第２種類のインクを供給する第２通路部（第２供給路）の下流端とが合流しており、該合流点と記録ヘッドとの間がインクを記録ヘッドに供給するヘッド側供給路により接続されている。さらに、この切換装置内には、第１通路部を開閉する第１ダイアフラム（第１開閉弁）と第２通路部を開閉する第２ダイアフラム（第２開閉弁）とが設けられており、一方のダイアフラムを開弁させると共に、他方のダイアフラムを閉弁させることにより、第１種類のインクと第２種類のインクとの供給状態を切り換えるようになっている。
【０００６】
すなわち、この切換装置では、記録ヘッドに第１種類のインクを供給する場合には、第１通路部の第１ダイアフラムが開弁されるとともに第２通路部の第２ダイアフラムが閉弁される。一方、記録ヘッドに第２種類のインクを供給する場合には、第２通路部の第２ダイアフラムが開弁されるとともに第１通路部の第１ダイアフラムが閉弁される。
【特許文献１】特開２００６−１７５６２６号公報
【発明の開示】
【発明が解決しようとする課題】
【０００７】
ところで、特許文献１のプリンタでは、切換装置内に２つのスライダーが備えられており、これら２つのスライダーをそれぞれ直線的にスライド移動させて第１押圧部材（第１アクチュエータ）及び第２押圧部材（第２アクチュエータ）を揺動させることにより、第１ダイアフラム及び第２ダイアフラムをそれぞれ開閉動作させるようにしている。このため、特許文献１のプリンタでは、切換装置内に２つのスライダーをスライド移動させるためのスペースを確保しなければならず、切換装置が大型化、ひいてはプリンタが大型化してしまうという問題があった。
【０００８】
本発明は、このような従来技術に存在する問題点に着目してなされたものである。その目的とするところは、液体噴射ヘッドへ供給する液体の種類を変更するための切換装置を小型化することが可能な液体噴射装置を提供することにある。
【課題を解決するための手段】
【０００９】
上記目的を達成するために、本発明の液体噴射装置は、液体を噴射する液体噴射ヘッドと、該液体噴射ヘッドへ供給される液体の種類を第１液体と該第１液体とは異なる第２液体との間で選択的に切り換える切換装置とを備えた液体噴射装置であって、前記切換装置は、前記第１液体を供給する第１供給路と、前記第２液体を供給する第２供給路と、前記第１供給路及び前記第２供給路の下流端同士の合流点と前記液体噴射ヘッドとの間を連通するヘッド側供給路と、前記第１供給路における前記第２供給路との合流点よりも上流側において前記第１供給路を開閉する第１開閉弁と、前記第２供給路における前記第１供給路との合流点よりも上流側において前記第２供給路を開閉する第２開閉弁と、回転式のカムと、該カムの回転駆動に伴って駆動されることにより、前記第１開閉弁及び前記第２開閉弁のうちの一方が開弁されるとともに他方が閉弁されるように、これら第１開閉弁及び第２開閉弁を開閉動作させるアクチュエータとを備えた。
【００１０】
一般に、回転式のカムは、直線的にスライド移動する直動式のカムに比べて、駆動時に必要とするスペースが少ない。この点、この発明によれば、第１開閉弁及び第２開閉弁を開閉動作させるアクチュエータが回転式のカムの回転駆動に伴って駆動されるため、直動式のカムでアクチュエータを駆動させる場合に比べて必要とするスペースが少なくなる。したがって、液体噴射ヘッドへ供給する液体の種類を変更するための切換装置を小型化することが可能となる。
【００１１】
本発明の液体噴射装置は、前記アクチュエータが、前記第１開閉弁を閉弁動作させる第１アクチュエータと前記第２開閉弁を閉弁動作させる第２アクチュエータとを備え、
前記第１アクチュエータ及び前記第２アクチュエータは、１つの前記カムの回転駆動により、双方のアクチュエータが駆動されるように構成されている。
【００１２】
この発明によれば、１つの回転式のカムの回転駆動により、第１アクチュエータ及び第２アクチュエータの双方が駆動されるため、第１アクチュエータ及び第２アクチュエータを別々のカムによってそれぞれ駆動させる場合に比べて部品点数を少なくすることが可能となる。
【００１３】
本発明の液体噴射装置は、前記合流点を介して連通する前記第１供給路及び前記第２供給路における前記第１開閉弁と前記第２開閉弁との間に、前記第１アクチュエータによって前記第１開閉弁を閉弁する際の閉弁力を、前記第２開閉弁を開弁させる開弁力として該第２開閉弁に伝達するとともに、前記第２アクチュエータによって前記第２開閉弁を閉弁する際の閉弁力を、前記第１開閉弁を開弁させる開弁力として該第１開閉弁に伝達する伝達部材が配置されている。
【００１４】
この発明によれば、第１アクチュエータを駆動することにより第１開閉弁の閉弁と第２開閉弁の開弁とが同時に行われるとともに、第２アクチュエータを駆動することにより第２開閉弁の閉弁と第１開閉弁の開弁とが同時に行われる。したがって、液体噴射ヘッドへ供給される液体の種類を素早く切り換えることが可能となる。
【００１５】
本発明の液体噴射装置において、前記第１アクチュエータ及び前記第２アクチュエータは、該両アクチュエータが互いに交差した状態で１つの軸により揺動可能に軸支されている。
【００１６】
この発明によれば、１つの軸により第１アクチュエータ及び第２アクチュエータが揺動可能に軸支されているため、第１アクチュエータ及び第２アクチュエータを別々の軸によってそれぞれ揺動可能に軸支する場合に比べて部品点数を少なくすることが可能となる。
【００１７】
本発明の液体噴射装置において、前記カムには、そのカムの回転駆動に伴い前記第１アクチュエータ及び前記第２アクチュエータが順次に係合する第１カム面と第２カム面とが形成されており、前記両アクチュエータは、前記第１カム面に係合することによってそのアクチュエータが対応する開閉弁の開弁動作を許容する方向に変位する一方、前記第２カム面に係合することによってそのアクチュエータが対応する開閉弁を閉弁動作させる方向に変位する構成とされている。
【００１８】
この発明によれば、カムを一方向に回転駆動することで、第１アクチュエータ及び第２アクチュエータがそれぞれ駆動することにより、第１開閉弁及び第２開閉弁のうち、一方が閉弁されるとともに他方が開弁される状態と一方が開弁されるとともに他方が閉弁される状態との間で順次交互に切り換えることが可能となる。
【００１９】
本発明の液体噴射装置は、前記切換装置が、前記第１アクチュエータが前記第１開閉弁を閉弁させているときの閉弁力の低下と、前記第２アクチュエータが前記第２開閉弁を閉弁させているときの閉弁力の低下とを抑制する閉弁力低下抑制手段を備えている。
【００２０】
この発明によれば、第１アクチュエータが第１開閉弁を閉弁させているときのシール性の低下が抑制されるとともに、第２アクチュエータが第２開閉弁を閉弁させているときのシール性の低下が抑制される。したがって、第１開閉弁及び第２開閉弁の閉弁時の信頼性を向上することが可能となる。
【発明を実施するための最良の形態】
【００２１】
以下、本発明を、インクジェット式プリンタ及びこのプリンタに装着されるインクカートリッジに具体化した一実施形態を図面に基づいて説明する。なお、以下の説明において、「前後方向」、「左右方向」、「上下方向」をいう場合は図１に矢印で示す前後方向、左右方向、上下方向をそれぞれ示すものとする。
【００２２】
図１に示すように、液体噴射装置としてのインクジェット式プリンタ１１は、平面視矩形状をなす本体フレーム１２を備えるとともに、該本体フレーム１２内にはプラテン１３が主走査方向となる左右方向に沿って延びるように設けられている。このプラテン１３上には、図示しない紙送り機構によりターゲットとしての記録用紙（図示略）が副走査方向となる前後方向に沿って給送されるようになっている。また、本体フレーム１２内におけるプラテン１３の上方には、該プラテン１３の長手方向（左右方向）と平行に延びる棒状のガイド軸１４が架設されている。
【００２３】
このガイド軸１４には、キャリッジ１５が、該ガイド軸１４の軸線方向（左右方向）への往復移動可能な状態で支持されている。キャリッジ１５は、本体フレーム１２の後壁内面に設けられた一対のプーリ１６ａ間に張設された無端状のタイミングベルト１６を介して本体フレーム１２の背面に設けられたキャリッジモータ１７に連結されている。したがって、キャリッジ１５は、キャリッジモータ１７の駆動により、ガイド軸１４に沿って往復移動されるようになっている。
【００２４】
図１及び図２に示すように、キャリッジ１５におけるプラテン１３と対向する面側には、液体噴射ヘッドとしての記録ヘッド１８が搭載されている。また、キャリッジ１５上には、一時貯留した液体としてのインクを記録ヘッド１８に供給する複数（本実施形態では４つ）のバルブユニット１９ａ〜１９ｄが設けられている。記録ヘッド１８の下面には、複数（本実施形態では３つ）のノズル２０ａ〜２０ｃが形成されており、これら各ノズル２０ａ〜２０ｃからプラテン１３上に給送された記録用紙（図示略）にインク滴が噴射されることにより、印刷が行われるようになっている。
【００２５】
本体フレーム１２内の右端部には、カートリッジホルダ２１が設けられるとともに、該カートリッジホルダ２１には、互いに種類の異なるインクを収容した複数（本実施形態では４つ）のインクカートリッジ２２ａ〜２２ｄがそれぞれ着脱自在に装着されている。カートリッジホルダ２１は、キャリッジ１５上の各バルブユニット１９ａ〜１９ｄとそれぞれインク供給チューブ２４ａ〜２４ｄを介して接続されている。そして、カートリッジホルダ２１に各インクカートリッジ２２ａ〜２２ｄを装着した場合には、各インクカートリッジ２２ａ〜２２ｄがインク供給チューブ２４ａ〜２４ｄを介して各バルブユニット１９ａ〜１９ｄとそれぞれ連通するようになっている。
【００２６】
インクカートリッジ２２ａ及びインクカートリッジ２２ｂには、それぞれ第１液体としてのフォトブラックインク及び第２液体としてのマットブラックインクが収容されている。したがって、バルブユニット１９ａにはフォトブラックインクが一時貯留されるとともに、バルブユニット１９ｂにはマットブラックインクが一時貯留されるようになっている。
【００２７】
この場合、フォトブラックインクは記録用紙が光沢系用紙である場合の印刷に適しており、マットブラックインクは記録用紙がマット系用紙である場合の印刷に適している。そこで、キャリッジ１５上における両バルブユニット１９ａ，１９ｂと記録ヘッド１８との間には、該両バルブユニット１９ａ，１９ｂから記録ヘッド１８に供給されるインクがフォトブラックインク及びマットブラックインクのうちのいずれか一方となるように切り換えるための切換装置２５が設けられている。
【００２８】
すなわち、切換装置２５は、記録ヘッド１８のノズル２０ａから噴射されるインクを、例えば記録用紙が光沢系用紙であるかマット系用紙であるかによって、フォトブラックインクとマットブラックインクとの間で切り換え可能になっている。なお、切換装置２５は、インクの切り換えを行う切換ユニット２５Ａと、該切換ユニット２５Ａを駆動する駆動ユニット２５Ｂとにより構成されている。
【００２９】
また、本体フレーム１２内の右端部寄り位置であって、キャリッジ１５のホームポジションには、記録ヘッド１８のクリーニング等を行うためのメンテナンスユニット２６が配設されている。このメンテナンスユニット２６は、記録ヘッド１８の各ノズル２０ａ〜２０ｃを封止したり、該各ノズル２０ａ〜２０ｃからフラッシングによって吐出されるインクを受容したりするためのキャップ２７を備えている。
【００３０】
次に、切換装置２５を構成する切換ユニット２５Ａの構成について詳述する。
図３〜図５に示すように、切換ユニット２５Ａは、左右対称の略ブロック形状をなす本体３０を備えているとともに、該本体３０の上面には左右方向に所定間隔を置いて対をなすように第１接続管３１及び第２接続管３２が立設されている。第１接続管３１はバルブユニット１９ａに接続されるとともに、第２接続管３２はバルブユニット１９ｂに接続されるようになっている。第１接続管３１の前側には左側に開口した有底円筒状の第１弁体収容部３３が設けられるとともに、第２接続管３２の前側には右側に開口した有底円筒状の第２弁体収容部３４が設けられている。
【００３１】
第１弁体収容部３３と第２弁体収容部３４とは、連結部３５を介して連結されている。連結部３５内には左右方向に直線状に延びる連結路３６が形成されており、該連結路３６を介して第１弁体収容部３３と第２弁体収容部３４とがこれらの中心部において互いに連通している。すなわち、第１弁体収容部３３及び第２弁体収容部３４の中心部には、それぞれ連結路３６が開口している。
【００３２】
また、本体３０には、第１接続管３１と第１弁体収容部３３内とを連通する第１連絡溝３７が形成されている。すなわち、第１連絡溝３７は、その基端が第１接続管３１に接続され、本体３０の左面上、第１弁体収容部３３の内周面３３ａ上、第１弁体収容部３３の内底面３３ｂ上を通って該内底面３３ｂ上における連結路３６を上側から前方側に回り込むように延びており、その先端が内底面３３ｂにおける連結路３６の前斜め下側まで達している。なお、第１弁体収容部３３の内底面３３ｂ上には、連結路３６を囲むように円環状の第１突起３３ｃが突出形成されている。
【００３３】
また、第１連絡溝３７と同様に、本体３０には、第２接続管３２と第２弁体収容部３４内とを連通する第２連絡溝３８が形成されている。すなわち、第２連絡溝３８は、その基端が第２接続管３２に接続され、本体３０の右面上、第２弁体収容部３４の内周面３４ａ上、第２弁体収容部３４の内底面３４ｂ上を通って該内底面３４ｂ上における連結路３６を上側から前方側に回り込むように延びており、その先端が内底面３４ｂにおける連結路３６の前斜め下側まで達している。なお、第２弁体収容部３４の内底面３４ｂ上には、連結路３６を囲むように円環状の第２突起３４ｃが突出形成されている。
【００３４】
図５及び図６に示すように、連結路３６の左右方向の中央における前側の位置には、該連結路３６内と連結部３５の上面に形成された前後方向に延びる凹溝４０内における前端部とを連通する第１貫通孔３９が形成されている。一方、凹溝４０内における後端部には、記録ヘッド１８（図２参照）と連通する第２貫通孔４１が形成されている。そして、連結部３５の上面には、凹溝４０の上端開口を封止する図示しない封止部材が配設されている。なお、本実施形態では、第１貫通孔３９、凹溝４０、及び第２貫通孔４１によりヘッド側供給路が構成されている。
【００３５】
図５に示すように、連結路３６において、左右方向の中央部から左側部分は第１連結路４４とされるとともに、左右方向の中央部から右側部分は第２連結路４５とされている。したがって、連結路３６における中央部は、第１連結路４４と第２連結路４５との合流点Ｇとなっており、該合流点Ｇにおいて第１連結路４４、第２連結路４５、及び第１貫通孔３９が互いに連通している。
【００３６】
そして、本実施形態では、第１連絡溝３７（図４参照）、第１弁体収容部３３内、及び第１連結路４４により第１供給路が構成されるとともに、第２連絡溝３８、第２弁体収容部３４内、及び第２連結路４５により第２供給路が構成されている。なお、連結路３６の両端部（第１連結路４４の左端部及び第２連結路４５の右端部）には中央部よりも径の広い拡径部３６ａが設けられている。
【００３７】
図７に示すように、第１連結路４４内及び第２連結路４５内には、略円柱状の伝達部材４６が左右方向に摺動可能にそれぞれ収容されている。ここで、図８に示すように、伝達部材４６は、円柱状の小径部４６ａと、該小径部４６ａの一端部を該小径部４６ａよりも径を大きくしてなる大径部４６ｂとを備えている。大径部４６ｂには、伝達部材４６の軸線方向を中心に９０度程度回転させた分だけ小径部４６ａと同じ径となる切欠部４６ｃが形成されている。
【００３８】
そして、図３及び図７に示すように、２つの伝達部材４６のうちの一方の伝達部材４６を小径部４６ａ側から第１連結路４４内に挿入するとともに、他方の伝達部材４６を小径部４６ａ側から第２連結路４５内に挿入することで、第１連結路４４内及び第２連結路４５内にそれぞれ伝達部材４６が収容されている。この場合、両伝達部材４６の切欠部４６ｃは下側を向いており、両伝達部材４６の大径部４６ｂは連結路３６の拡径部３６ａ内にそれぞれ収容されている。また、両伝達部材４６の小径部４６ａ側の端面は、連結路３６における左右方向の中央部において互いに当接している。そして、２つの伝達部材４６の長手方向の長さの和は、連結路３６の左右方向の長さよりも若干長くなっている。
【００３９】
第１弁体収容部３３内及び第２弁体収容部３４内には、円板状の可撓性を有する第１開閉弁４７及び該第１開閉弁４７と同一構成の第２開閉弁４８がそれぞれ遊嵌されている。第１開閉弁４７及び第２開閉弁４８の外側中央部には、それぞれ円形の第１凹部４７ａ及び第２凹部４８ａが設けられている。第１凹部４７ａ内及び第２凹部４８ａ内には、剛性を有する円板状の第１中継部材４９及び第２中継部材５０がそれぞれ遊嵌されている。
【００４０】
この場合、第１凹部４７ａと第２凹部４８ａとは同一構成になっているとともに、第１中継部材４９と第２中継部材５０とは同一構成になっている。なお、本体３０の左面には第１弁体収容部３３の開口及び第１連絡溝３７の開口を封止するように可撓性フィルム５１（図１０参照）が取着されており、同様に、本体３０の右面には第２弁体収容部３４の開口及び第２連絡溝３８の開口を封止するように可撓性フィルム５１が取着されている。
【００４１】
図７及び図１０に示すように、第１開閉弁４７における第１凹部４７ａの底壁は第１膜状部４７ｂとされており、第１凹部４７ａの内底面４７ｃと第１中継部材４９の右面４９ａとは平行になっている。また、第１凹部４７ａの内周面（内側面）は、内底面４７ｃと直交しているとともに、第１案内面４７ｄを構成している。
【００４２】
一方、第２開閉弁４８における第２凹部４８ａの底壁は第２膜状部４８ｂとされており、第２凹部４８ａの内底面４８ｃと第２中継部材５０の左面５０ａとは平行になっている。また、第２凹部４８ａの内周面（内側面）は、内底面４８ｃと直交しているとともに、第２案内面４８ｄを構成している。
【００４３】
次に、切換装置２５を構成する駆動ユニット２５Ｂの構成について詳述する。
図９に示すように、駆動ユニット２５Ｂは、外周縁が曲線で構成された非円形の板材からなる回転式のカムとしての板カム７１と、アクチュエータを構成する第１アクチュエータとしての第１作動板７３と、アクチュエータを構成する第２アクチュエータとしての第２作動板７２とを備えている。板カム７１の中央部からは、該板カム７１と直交する方向へ軸７４が延設され、該軸７４の先端には、カムモータ７５が連結されている。すなわち、板カム７１は、カムモータ７５の駆動により、軸７４を中心に正転方向または逆転方向（図中の矢印で示す方向）に回動（回転駆動）されるようになっている。
【００４４】
また、板カム７１の外周縁には、その板カム７１の回動に伴い第１作動板７３及び第２作動板７２が順次に係合する第１カム面７１ａと第２カム面７１ｂとが形成されている。第１カム面７１ａは、板カム７１の回転中心となる軸７４からの距離を半径とする円弧状をなすように形成される一方、第２カム面７１ｂは、軸７４からの距離が第１カム面７１ａよりも短くなる略弦状をなすように形成されている。
【００４５】
第１作動板７３と第２作動板７２とは、同一形状になっており、これらはともに略Ｚ字板状をなしている。第１作動板７３及び第２作動板７２は、これらのうち一方のみを裏返しにした状態で、これらの中央部において互いに交差するように重ね合わせられている。そして、第１作動板７３及び第２作動板７２は、これらと直交する方向に延びる１つの軸７６により、互いにこれらの交差点となる中央部において揺動自在に軸支されている。すなわち、第１作動板７３及び第２作動板７２は、それぞれが軸７６を中心に正転方向または逆転方向に揺動（駆動）されるようになっている。
【００４６】
第１作動板７３及び第２作動板７２は、軸７６を境として、一端側がそれぞれ第１従動部７３ａ及び第２従動部７２ａとされ、他端側がそれぞれ第１押圧作動部７３ｂ及び第２押圧作動部７２ｂとされている。そして、これら第１従動部７３ａ及び第２従動部７２ａ間に挟まれるように板カム７１が配置されている。第１従動部７３ａ及び第２従動部７２ａは、その先端側がそれぞれ板カム７１側に屈曲した形状をなしており、第１従動部７３ａ及び第２従動部７２ａの先端はそれぞれ板カム７１の外周縁すなわち、第１カム面７１ａまたは第２カム面７１ｂに摺接している。
【００４７】
第２従動部７２ａと第１押圧作動部７３ｂとの間には閉弁力低下抑制手段としての第１コイルバネ７７が介在され、該第１コイルバネ７７により第２従動部７２ａと第１押圧作動部７３ｂとが常に離間する方向に付勢されるようになっている。また、同様に、第１従動部７３ａと第２押圧作動部７２ｂとの間には閉弁力低下抑制手段としての第２コイルバネ７８が介在され、該第２コイルバネ７８により第１従動部７３ａと第２押圧作動部７２ｂとが常に離間する方向に付勢されるようになっている。したがって、第１従動部７３ａ及び第２従動部７２ａの先端は、第２コイルバネ７８及び第１コイルバネ７７の付勢力により、それぞれ常に板カム７１の周縁部に押し付けられている。
【００４８】
第１押圧作動部７３ｂ及び第２押圧作動部７２ｂの先端部には、互いに対向するように内側に向かって延びる第１凸部７３ｃ及び第２凸部７２ｃがそれぞれ設けられている。そして、第１押圧作動部７３ｂ及び第２押圧作動部７２ｂ間、すなわち第１凸部７３ｃ及び第２凸部７２ｃ間には、切換ユニット２５Ａが配置されている。この場合、切換ユニット２５Ａは、第２中継部材５０の右面が第２凸部７２ｃの先端面と対向する一方、第１中継部材４９の左面が第１凸部７３ｃの先端面と対向するように配置されている。
【００４９】
そして、板カム７１を回動させることで、第２凸部７２ｃが可撓性フィルム５１を介して第２中継部材５０を右側から左側に向かって押圧したり、第１凸部７３ｃが可撓性フィルム５１を介して第１中継部材４９を左側から右側に向かって押圧したりするように、第１作動板７３及び第２作動板７２がそれぞれ揺動するようになっている。なお、図９は、第２凸部７２ｃが可撓性フィルム５１を介して第２中継部材５０を右側から左側に向かって押圧している状態を示している。
【００５０】
次に、切換装置２５の作用について説明する。
図１０及び図１１は、本体３０の連結部３５及び該連結部３５付近における下側から見たときの断面図である。
【００５１】
さて、図９及び図１０に示すように、記録ヘッド１８に供給するインクをマットブラックインクからフォトブラックインクに切り換える場合には、まず、板カム７１を回動させる。そして、図９に示すように、第１作動板７３の第１従動部７３ａが板カム７１の第１カム面７１ａに係合するとともに、第２作動板７２の第２従動部７２ａが板カム７１の第２カム面７１ｂに係合するようにする。
【００５２】
すると、第２作動板７２が第２凸部７２ｃにより可撓性フィルム５１を介して第２中継部材５０を右側から左側に向かって押圧するとともに、第１作動板７３が第１凸部７３ｃを第１中継部材４９から離間させた位置（第１開閉弁４７の開弁動作を許容する位置）で停止する。このとき、第２作動板７２は軸７６を中心に揺動するため、第２凸部７２ｃは直線状ではなく円弧状の軌道を描きながら第２中継部材５０を押圧する。このため、第２中継部材５０の右面には第２凸部７２ｃからの押圧力が左方向に対してやや斜めの方向から加えられるが、第２中継部材５０は第２案内面４８ｄに案内されて左方向に向かって真っ直ぐに移動する。
【００５３】
すると、第２中継部材５０の左面５０ａが第２凹部４８ａの内底面４８ｃに当接し、該第２中継部材５０によって第２膜状部４８ｂ（第２開閉弁４８）が閉弁方向である左方向に変位させられる。この第２膜状部４８ｂの変位により、第２膜状部４８ｂが第２突起３４ｃに密着されるとともに両伝達部材４６が左方向に押圧される。両伝達部材４６が左方向に押圧されると、この押圧に伴って両伝達部材４６が第１開閉弁４７を左方向に向かって押圧し、第１開閉弁４７が左方向に押圧される。第１開閉弁４７が左方向に押圧されると、該第１開閉弁４７と第１突起３３ｃとが離間された状態になる。
【００５４】
この状態では、第１連絡溝３７と第１連結路４４とが第１弁体収容部３３内を介して連通状態になるとともに第２連絡溝３８と第２連結路４５とが非連通状態、すなわち、第１開閉弁４７が開くとともに第２開閉弁４８が閉じた状態（図１０に示す状態）になる。つまり、第２凸部７２ｃからの押圧力が第２開閉弁４８を閉弁する閉弁力となり、両伝達部材４６により第２開閉弁４８を閉弁する閉弁力が第１開閉弁４７を開弁する開弁力として該第１開閉弁４７に伝達される。したがって、第２開閉弁４８の閉弁と第１開閉弁４７の開弁とは、同時に行われる。
【００５５】
そして、記録ヘッド１８のノズル２０ａから前回使用していたインクであるマットブラックインクをフラッシングによってキャップ２７内に吐出すると、フォトブラックインクが第１連絡溝３７から第１弁体収容部３３内を介して第１連結路４４内に流れ込む。この場合のフラッシングでは、選択的にノズル２０ａからのみインクが吐出される。そして、図１０中の矢印で示すように、第１連結路４４内に流れ込んだフォトブラックインクは、第１貫通孔３９に流れ込むようになり、記録ヘッド１８に供給されるインクがマットブラックインクからフォトブラックインクに切り換えられる。
【００５６】
ここで、第２開閉弁４８の閉弁中においては、第２凸部７２ｃからの押圧力が閉弁力として第２開閉弁４８に対して作用し続けているが、この状態で長期間が経過すると、第２作動板７２が経年変化（クリープ）によって変形して第２開閉弁４８の第２膜状部４８ｂの第２突起３４ｃに対する密着性（シール性）が低下することがある。この点、本実施形態では、第２開閉弁４８の閉弁中においては、第１開閉弁４７と第１突起３３ｃとが離間した状態で第１作動板７３が停止していることで、第１従動部７３ａにより第２コイルバネ７８が収縮された状態になっている。
【００５７】
このため、第２コイルバネ７８の復元力が第１従動部７３ａによって収縮された分だけ大きくなるので、第２凸部７２ｃが第２開閉弁４８を閉弁方向に押圧する押圧力（閉弁力）が大きくなるように第２作動板７２が揺動する方向へ第２コイルバネ７８が第２押圧作動部７２ｂを付勢する付勢力が大きくなる。したがって、第２開閉弁４８の閉弁中における第２膜状部４８ｂの第２突起３４ｃに対する密着性（シール性）の低下が抑制される。
【００５８】
一方、図９及び図１１に示すように、記録ヘッド１８に供給するインクをフォトブラックインクからマットブラックインクに切り換える場合には、まず、板カム７１を回動させる。そして、図９に示す場合とは反対に、第２作動板７２の第２従動部７２ａが板カム７１の第１カム面７１ａに係合するとともに、第１作動板７３の第１従動部７３ａが板カム７１の第２カム面７１ｂに係合するようにする。
【００５９】
すると、第１作動板７３が第１凸部７３ｃにより可撓性フィルム５１を介して第１中継部材４９を左側から右側に向かって押圧するとともに、第２作動板７２が第２凸部７２ｃを第２中継部材５０から離間させた位置（第２開閉弁４８の開弁動作を許容する位置）で停止する。このとき、第１作動板７３は軸７６を中心に揺動するため、第１凸部７３ｃは直線状ではなく円弧状の軌道を描きながら第１中継部材４９を押圧する。このため、第１中継部材４９の左面には第１凸部７３ｃからの押圧力が右方向に対してやや斜めの方向から加えられるが、第１中継部材４９は第１案内面４７ｄに案内されて右方向に向かって真っ直ぐに移動する。
【００６０】
すると、第１中継部材４９の右面４９ａが第１凹部４７ａの内底面４７ｃに当接し、該第１中継部材４９によって第１膜状部４７ｂ（第１開閉弁４７）が閉弁方向である右方向に変位させられる。この第１膜状部４７ｂの変位により、第１膜状部４７ｂが第１突起３３ｃに密着されるとともに両伝達部材４６が右方向に押圧される。両伝達部材４６が右方向に押圧されると、この押圧に伴って両伝達部材４６が第２開閉弁４８を右方向に向かって押圧し、第２開閉弁４８が右方向に押圧される。第２開閉弁４８が右方向に押圧されると、該第２開閉弁４８と第２突起３４ｃとが離間された状態になる。
【００６１】
この状態では、第２連絡溝３８と第２連結路４５とが第２弁体収容部３４内を介して連通状態になるとともに第１連絡溝３７と第１連結路４４とが非連通状態、すなわち、第２開閉弁４８が開くとともに第１開閉弁４７が閉じた状態（図１０に示す状態）になる。つまり、第１凸部７３ｃからの押圧力が第１開閉弁４７を閉弁する閉弁力となり、両伝達部材４６により第１開閉弁４７を閉弁する閉弁力が第２開閉弁４８を開弁する開弁力として該第２開閉弁４８に伝達される。したがって、第１開閉弁４７の閉弁と第２開閉弁４８の開弁とは、同時に行われる。
【００６２】
そして、記録ヘッド１８のノズル２０ａから前回使用していたインクであるフォトブラックインクをフラッシングによってキャップ２７内に吐出すると、マットブラックインクが第２連絡溝３８から第２弁体収容部３４内を介して第２連結路４５内に流れ込む。この場合のフラッシングでは、選択的にノズル２０ａからのみインクが吐出される。そして、図１１中の矢印で示すように、第２連結路４５内に流れ込んだマットブラックインクは、第１貫通孔３９に流れ込むようになり、記録ヘッド１８に供給されるインクがフォトブラックインクからマットブラックインクに切り換えられる。
【００６３】
ここで、第１開閉弁４７の閉弁中においては、第１凸部７３ｃからの押圧力が閉弁力として第１開閉弁４７に対して作用し続けているが、この状態で長期間が経過すると、第１作動板７３が経年変化（クリープ）によって変形して第１開閉弁４７の第１膜状部４７ｂの第１突起３３ｃに対する密着性（シール性）が低下することがある。この点、本実施形態では、第１開閉弁４７の閉弁中においては、第２開閉弁４８と第２突起３４ｃとが離間した状態で第２作動板７２が停止していることで、第２従動部７２ａにより第１コイルバネ７７が収縮された状態になっている。
【００６４】
このため、第１コイルバネ７７の復元力が第２従動部７２ａによって収縮された分だけ大きくなるので、第１凸部７３ｃが第１開閉弁４７を閉弁方向に押圧する押圧力（閉弁力）が大きくなるように第１作動板７３が揺動する方向へ第１コイルバネ７７が第１押圧作動部７３ｂを付勢する付勢力が大きくなる。したがって、第１開閉弁４７の閉弁中における第１膜状部４７ｂの第１突起３３ｃに対する密着性（シール性）の低下が抑制される。
【００６５】
このように、フォトブラックインクとマットブラックインクとの間で使用インクを切り換える場合、第２作動板７２を揺動させることで第２凸部７２ｃによって第２膜状部４８ｂ（第２開閉弁４８）を閉弁方向に押圧するか、または、第１作動板７３を揺動させることで第１凸部７３ｃによって第１膜状部４７ｂ（第１開閉弁４７）を閉弁方向に押圧する必要がある。
【００６６】
この場合、１つの回転式の板カム７１の回動によって、互いに交差して配置された第１作動板７３及び第２作動板７２の双方が揺動されるので、板カム７１を直線的にスライド移動する直動式のカムに変更した場合に比べて、カムの駆動時に必要とするスペースが少なくてすむ。このため、駆動ユニット２５Ｂ（切換装置２５）の小型化が可能となる。
【００６７】
以上、詳述した実施形態によれば以下の効果を得ることができる。
（１）一般に、回転式のカムは、直線的にスライド移動する直動式のカムに比べて、駆動時に必要とするスペースが少ない。この点、本実施形態によれば、第１開閉弁４７及び第２開閉弁４８を開閉動作させる第１作動板７３及び第２作動板７２が回転式の板カム７１の回動に伴って駆動されるため、直動式のカムで第１作動板７３及び第２作動板７２を駆動させる場合に比べて必要とするスペースが少なくすることができる。したがって、記録ヘッド１８へ供給するインクの種類を変更するための切換装置２５を小型化することができ、ひいてはインクジェット式プリンタ１１を小型化することができる。
【００６８】
（２）１つの回転式の板カム７１の回動により、第１作動板７３及び第２作動板７２の双方を駆動することができるため、第１作動板７３及び第２作動板７２を別々のカムによってそれぞれ駆動させる場合に比べて部品点数を少なくすることができる。
【００６９】
（３）両伝達部材４６により、第１作動板７３の第１凸部７３ｃによって第１開閉弁４７を押圧して閉弁する際の閉弁力を、第２開閉弁４８を開弁させる開弁力として該第２開閉弁４８に伝達するとともに、第２作動板７２の第２凸部７２ｃによって第２開閉弁４８を閉弁する際の閉弁力を、第１開閉弁４７を開弁させる開弁力として該第１開閉弁４７に伝達することができる。このため、第１開閉弁４７の閉弁と第２開閉弁４８の開弁とを同時に行うことができるとともに、第２開閉弁４８の閉弁と第１開閉弁４７の開弁とを同時に行うことができる。したがって、記録ヘッド１８へ供給されるインクの種類をフォトブラックインクとマットブラックインクとの間で素早く切り換えることができる。
【００７０】
（４）１つの軸７６により第１作動板７３及び第２作動板７２が揺動可能に軸支されているため、第１作動板７３及び第２作動板７２を別々の軸によってそれぞれ揺動可能に軸支する場合に比べて部品点数を少なくすることができる。
【００７１】
（５）板カム７１を一方向に回転駆動することで、第１作動板７３及び第２作動板７２がそれぞれ揺動することにより、第１開閉弁４７及び第２開閉弁４８のうち、一方が閉弁されるとともに他方が開弁される状態と一方が開弁されるとともに他方が閉弁される状態との間で順次交互に切り換えることができる。
【００７２】
（６）第２開閉弁４８の閉弁中においては、第１従動部７３ａにより第２コイルバネ７８が収縮された状態になっている。このため、第２コイルバネ７８の復元力が第１従動部７３ａによって収縮された分だけ大きくなるので、第２凸部７２ｃが第２開閉弁４８を閉弁方向に押圧する押圧力（閉弁力）が大きくなるように第２作動板７２が揺動する方向へ第２コイルバネ７８が第２押圧作動部７２ｂを付勢する付勢力が大きくなる。したがって、第２開閉弁４８の閉弁中における第２膜状部４８ｂの第２突起３４ｃに対する密着性（シール性）の低下を抑制することができる。一方、第１開閉弁４７の閉弁中においては、第２従動部７２ａにより第１コイルバネ７７が収縮された状態になっている。このため、第１コイルバネ７７の復元力が第２従動部７２ａによって収縮された分だけ大きくなるので、第１凸部７３ｃが第１開閉弁４７を閉弁方向に押圧する押圧力（閉弁力）が大きくなるように第１作動板７３が揺動する方向へ第１コイルバネ７７が第１押圧作動部７３ｂを付勢する付勢力が大きくなる。したがって、第１開閉弁４７の閉弁中における第１膜状部４７ｂの第１突起３３ｃに対する密着性（シール性）の低下を抑制することができる。
【００７３】
よって、第１開閉弁４７及び第２開閉弁４８の閉弁中における信頼性を向上することができる。
（６）マットブラックインクとフォトブラックインクとの間でのインクの切り換えは、選択的にノズル２０ａからのみインクが吐出されるフラッシングによって行われるため、インクの切り換え時に、マットブラックインク及びフォトブラックインク以外のインクを消費しないようにすることができる。因みに、全ノズル２０ａ〜２０ｃをまとめて覆う一体型のキャップ２７を用いて、クリーニングによってマットブラックインクとフォトブラックインクとの間でのインクの切り換えを行った場合には、マットブラックインク及びフォトブラックインク以外のインクを無駄に消費してしまう。
【００７４】
（変更例）
なお、上記実施形態は以下のように変更してもよい。
・閉弁力低下抑制手段として、第１コイルバネ７７及び第２コイルバネ７８の代わりに、板バネやねじりバネなどを用いてもよい。あるいは、閉弁力低下抑制手段として、第１コイルバネ７７及び第２コイルバネ７８の代わりに、互いに反発しあう２組の磁石をそれぞれ用いてもよい。この場合、２組の磁石のそれぞれの反発力により、第２従動部７２ａと第１押圧作動部７３ｂとが常に離間する方向に付勢されるとともに、第１従動部７３ａと第２押圧作動部７２ｂとが常に離間する方向に付勢される。
【００７５】
・第１作動板７３及び第２作動板７２を別々の軸によってそれぞれ揺動可能に軸支するようにしてもよい。
・回転式のカムは、実施形態の板カム７１の形状に限定されない。すなわち、回転式のカムは、アクチュエータが係合した場合に、そのアクチュエータに開閉弁の開弁動作を許容する方向に揺動運動を付与するカム面と、そのアクチュエータに開閉弁を閉弁動作させる方向に揺動運動を付与するカム面とが形成されているものであればどのような形状であってもよい。
【００７６】
・２つの伝達部材４６は、一体に形成してもよい。
・第１作動板７３及び第２作動板７２を別々の回転式の板カム７１によってそれぞれ駆動するようにしてもよい。
【００７７】
・本実施形態では、切換装置２５により、マットブラックインクとフォトブラックインクとの間でインクの切り換えを行うようにしているが、同色インクにおける濃色インクと淡色インクとの間でインクの切り換えを行うようにしてもよい。例えば、シアンインクとライトシアンインクとの間、あるいはマゼンタインクとライトマゼンタインクとの間でインクの切り換えを行うようにしてもよい。
【００７８】
・切換装置２５は、第１連結路４４と第２連結路４５とがＶ字状またはＵ字状をなすように接続されるように構成してもよい。すなわち、切換装置２５は、連結路３６をＶ字状またはＵ字状をなすように構成してもよい。この場合、伝達部材４６の形状は、連結路３６の形状に合わせて適宜変更する必要がある。
【００７９】
・上記実施形態においては、液体噴射装置として、インクを噴射するインクジェット式プリンタ（ファクス、コピア等を含む印刷装置）について説明したが、他の液体を噴射する液体噴射装置であってもよい。例えば、液晶ディスプレイ、ＥＬディスプレイ及び面発光ディスプレイの製造などに用いられる電極材や色材などの液体を噴射する液体噴射装置、バイオチップ製造に用いられる生体有機物を噴射する液体噴射装置、精密ピペットとしての試料噴射装置であってもよい。
【図面の簡単な説明】
【００８０】
【図１】実施形態のインクジェット式プリンタの平面概略図。
【図２】同プリンタのキャリッジの正面簡略図。
【図３】同プリンタの切換ユニットの分解斜視図。
【図４】同プリンタの切換ユニットの要部斜視図。
【図５】切換ユニットの連結部の要部拡大断面図。
【図６】切換ユニットの平面図。
【図７】切換ユニットの要部断面図。
【図８】伝達部材の斜視図。
【図９】切換ユニットと駆動ユニットとの位置関係を示す概略図。
【図１０】第１開閉弁が開くとともに第２開閉弁が閉じた状態の切換装置の要部拡大断面図。
【図１１】第１開閉弁が閉じるとともに第２開閉弁が開いた状態の切換装置の要部拡大断面図。
【符号の説明】
【００８１】
１１…液体噴射装置としてのインクジェット式プリンタ、１８…液体噴射ヘッドとしての記録ヘッド、２５…切換装置、３３…第１供給路を構成する第１弁体収容部、３４…第２供給路を構成する第２弁体収容部、３７…第１供給路を構成する第１連絡溝、３８…第２供給路を構成する第２連絡溝、３９…ヘッド側供給路を構成する第１貫通孔、４０…ヘッド側供給路を構成する凹溝、４１…ヘッド側供給路を構成する第２貫通孔、４４…第１供給路を構成する第１連結路、４５…第２供給路を構成する第２連結路、４６…伝達部材、４７…第１開閉弁、４８…第２開閉弁、７１…回転式のカムとしての板カム、７１ａ…第１カム面、７１ｂ…第２カム面、７２…アクチュエータを構成する第２アクチュエータとしての第２作動板、７３…アクチュエータを構成する第１アクチュエータとしての第１作動板、７６…軸、７７…閉弁力低下抑制手段としての第１コイルバネ、７８…閉弁力低下抑制手段としての第２コイルバネ、Ｇ…合流点。
【図１】
2008132712.tif 000003
【図２】
2008132712.tif 000004
【図３】
2008132712.tif 000005
【図４】
2008132712.tif 000006
【図５】
2008132712.tif 000007
【図６】
2008132712.tif 000008
【図７】
2008132712.tif 000009
【図８】
2008132712.tif 000010
【図９】
2008132712.tif 000011
【図１０】
2008132712.tif 000012
【図１１】
2008132712.tif 000013